Podtech/llm-jp-corpus-v4-ja_patent huggingface dataset:
(57)【要約】【課題】  ゴルフスイングにおいて色々な練習器具、方法を用いて練習しても上達することは困難である。【解決手段】  ２枚の風切板を取り付けた練習器具により、物理的な方法で理想のスイングを体感して、これによりゴルフスイングの上達を図れる。【選択図】  図１
2006239381.tif 000002
【特許請求の範囲】
【請求項１】
ゴルフスイングにおけるスイングプレーンを矯正する為の板を取り付けたゴルフスイング練習器具。
【発明の詳細な説明】
【技術分野】
【０００１】  本発明は、ゴルフスイングを矯正する練習器具に関する。
【背景技術】
【０００２】  実物大のスイングプレーンを作り、それに沿ってスイングして正しいスイングを作ろうとするものがある。
【発明の開示】
【発明が解決しようとする課題】
【０００３】  色々な練習器具、練習方法を試してみるがなかなか正しいゴルフスイングが身につかない。【０００４】  本発明は、このような従来の構成が有していた問題を解決しようとするものであり、物理的な方法で正しいスイングを体感して、繰り返し練習することで理想のゴルフスイングを作ることを目的とするものである。
【問題を解決するための手段】
【０００５】  そして、本発明は上記目的を達成する為に、ゴルフクラブのシャフトに２枚の風切板を取り付けたものである。
【０００６】  １枚はスイングプレーンの面を外れない為のもので、もう１枚はスイングの中心からの長さを一定に保つ為のものである。
【発明の効果】
【０００７】  このような風切板を取り付けることにより、スイング中ゴルフクラブの角度が傾くと風の抵抗を受け、クラブの傾きを体感できる。また、風の抵抗を最小に保った状態で振り抜くことをすれば、これが理想のスイングであり、これも体感できる。
【発明を実施するための最良の形態】
【０００８】  以下、本発明の実施の形態を図１〜図３に基づいて説明する。【０００９】図においては、４はスイング回転の中心であり、２はクラブヘッド、３と１ははシャフトに取り付けた風切板であり、７はシャフト、５はスイングプレーンの面、６は４から１までの長さである。【００１０】  １はスイングプレーンに対して直角に取り付け、スイングの中心４から１までの長さ６に対する曲面にしてある。【００１１】  ３はスイングプレーン上にあり、シャフトに取り付けてある。【００１２】  以下、上記構成の動作を説明する。この練習器具を用いてスイングをすると、３の風切板でスイングプレーンの面を体感でき、１の風切板でスイングの中心軸を体感できる。【００１３】  スイング中にゴルフクラブの角度、方向がくるうと空気の抵抗を受けて、それを体感できる。【００１４】  空気の抵抗を最小に保ったままスイングができればこれが理想のスイングであり、繰り返し練習することにより理想のスイングを習得できる。
【図面の簡単な説明】
【００１５】
【図１】  アドレスした時の後方から見た図
【図２】  図１のシャフトを垂直に立てて右から見た図
【図３】  図２の状態で真上から見た図
【図１】
2006239381.tif 000003
【図２】
2006239381.tif 000004
【図３】
2006239381.tif 000005
(57)【要約】【課題】  巻き爪から生じる痛みを和らげ徐々に矯正に導き簡単に装着できる巻き爪矯正具１を提供する【解決手段】長方形のシート２の一面に長手方向に沿って復元力のあるワイヤー３を載せ、この上に、シート２と同じ寸法の粘着剤４／スポンジ５／粘着剤４／剥離紙６からなる両面テープ７の粘着剤４側を張り付けたことを特徴とする巻き爪矯正具１である。【選択図】  図１
2006239376.tif 000002
【特許請求の範囲】
【請求項１】
長方形のシート（２）の一面に長手方向に沿って復元力のあるワイヤー（３）を載せ、この上に、シート（２）と同じ寸法の粘着剤（４）／スポンジ（５）／粘着剤（４）／剥離紙（６）からなる両面テープ（７）の粘着剤（４）側を張り付けたことを特徴とする巻き爪矯正具（１）。
【発明の詳細な説明】
【技術分野】
【０００１】本発明は巻き爪を修正する為の矯正具であり特に足の爪に用いる巻き爪修正矯正具に関するものである。
【背景技術】
【０００２】巻き爪で苦しんでいる人が年々増えているというデーターに基づく情報がある中で、特に視力及び体力が低下しているお年寄りに多く、歩行すら難儀になっているという人達は、外科手術をするか大げさな矯正具をつけたりしている。簡単に矯正する道具の提案が成されていて、例えば特願２００１−３７５３５号では爪の上に貼る提案があるが、それではうまく矯正する事が困難のようである。【０００３】
【特許文献１】特願２００１−３７５３５号公報
【発明の開示】
【発明が解決しようとする課題】
【０００４】比較的簡単にワン・タッチで装着でき、その時点で痛みが和らいで衛生的にも効果的な使い捨てであって、身近で販売されて購入が簡単である事などが解決しようとする課題である。
【課題を解決するための手段】
【０００５】本発明の巻き爪矯正具１は、長方形のシート２の長手方向に沿って復元力のあるワイヤー３を載せ、この上に、シート２と同じ寸法の粘着剤４／スポンジ５／粘着剤４／剥離紙６からなる両面テープ７の粘着剤４側を張り付けた事を特徴とする。【０００６】本発明で用いるシート２としては、軟質プラスチックシートが良い。シート２の大きさは、爪の裏側に貼れる位の大きさとする。【０００７】本発明で用いる復元力のあるワイヤー３としては、例えば、歯科矯正に用いるワイヤーが好ましい。その例としては、スリーエムユニテック（株）製のステンレススチールからなる「ＳＴＤラウンドワイヤー」もしくは、「ＳＴＤレクトワイヤー」などのワイヤーが良く、太さとしては細いものが良い。上記シート２の上に長手方向に沿ってこのワイヤーを載せる。【０００８】本発明で用いる両面粘着テープ７としては、一般的に売られている超強力タイプのアクリル系粘着剤４にポリエチレンフォーム厚み１ｍｍ程度のスポンジ５があらかじめ固定してあるものが良く、シート２の上にワイヤー３を載せその上にこの強力粘着剤４側を張り付けて製品とする。爪の裏側に、この製品の剥離紙６を剥がして張り付けれは良い。
【発明の効果】
【０００９】上記の製品を用いれば、ワイヤー３が指９に食い込んで湾曲している巻き爪８を押し上げ比較的短時間で徐々に指９に食い込んでいる巻き爪先端部両側１０を矯正に導き食い込みが和らぎ痛みが解消する。徐々に痛みが和らぐ矯正具１が簡単にワン・タッチで装着でき、市場的にも衛生的にも効果的な使い捨てであり、身近で販売されて安く購入出来るとなれば産業的にも利用価値は高く、その上、わざわざ病院に行き痛い外科手術をしたとしてもその後また爪は巻いてくる可能性が高いと云われているため、上記製品の市場価値が大変高いと思われる。
【発明を実施するための最良の形態】
【実施例】
【００１０】本発明の実施例を図１を用いて説明する。巾５ｍｍ、長さ２０ｍｍの長方形の軟質ビニール製シート２の一面に長手方向に沿ってスリーエムユニテック（株）製のステンレススチールからなるＳＴＤラウンドワイヤーＳＳ３を長さ１５ｍｍに切って載せ、その上に、巾５ｍｍ、長さ２０ｍｍに切った市販のスポンジ両面テープ７の一方の強力粘着剤４側を張り付けて製品とした。【００１１】図２では、本発明を実際に用いた状態を示す図である。足指９の巻き爪８の裏側に本発明の巻き爪矯正具１を剥離紙６を剥がして張り付けた。図２の（２）は上から見た図であり、巻き爪矯正具１は爪の裏側に貼られているので点線で表した。【００１２】図３は、本発明の効果を示す図である。図３の（１）では巻き爪先端部両側１０のような巻き爪を生じていたが本発明の巻き爪矯正具１を使用した結果図３の（２）のように巻き爪先端部両側１０が平らになって湾曲が修正された爪１１になり痛みが感じられなくなった。
【産業上の利用可能性】
【００１３】本発明の巻き爪矯正具１は、巻き爪で苦しんでいる人達の痛みや苦しみを和らげる効果が極めて高く、これだけの効果的な製品が身近で販売されて購入が簡単で安いとなれば利用される可能性が多く、市場価値が大変高いと思われる。
【図面の簡単な説明】
【００１４】
【図１】  本発明の矯正具の説明図である。
【図２】  本発明の巻き爪矯正具を実際に用いている状態を示す説明図である
【図３】  巻き爪が矯正される状態を示す説明図である。
【符号の説明】
【００１５】  １  本発明の巻き爪矯正具
２  シート
３  ワイヤー
４  粘着剤
５  スポンジ
６  剥離紙
７  両面テープ
８  巻き爪
９  指
【図１】
2006239376.tif 000003
【図２】
2006239376.tif 000004
【図３】
2006239376.tif 000005
(57)【要約】      （修正有）【解決手段】発酵槽の面積を攪拌機の二重の羽根を逆方向につけることで、発酵床の処理能力を上げ、好気性発酵状態を維持できるように、水抜きパイプを設ける。【効果】発酵槽の好気性発酵を順調にすると、臭いの発生も少なく、生ゴミの有機物も分解処理できた。【選択図】図１
2006239377.tif 000002
【特許請求の範囲】
【請求項１】
攪拌機の羽根を一本のシャフトに中心部と外側に逆方向にスクリュー状につけた攪拌機
【請求項２】
発酵槽で発酵分解された水分と余分な水分を抜く水抜きパイプを備えた発酵槽
【発明の詳細な説明】
【技術分野】
【０００１】  本発明は、発酵分解により糞尿処理する。そのときの発酵槽内のオカクズや木クズ、モミガラなどと、糞尿が均等に攪拌し、好気性発酵するようにしたものである。
【背景技術】
【０００２】  従来は水洗トイレ、汲み取りトイレ、発酵槽に便器を設けたバイオトイレがある。【特許文献】特開２００３−２６５３５５号
【非特許文献１】現代農業９月号  農文協出版  ２００４年  ９月１日発行  Ｐ３１８〜３２４
【発明の開示】
【開発が解決しようとする課題】
【０００３】  従来の水洗トイレは、水の給排水整備が必要。汲み取り式は、嫌気性発酵のため悪臭がひどい、又、バイオトイレは、余分な水分と発酵が進むと有機物が水分に分解され、蒸発できなかった物が下にたまり、それがオカクズと混ざり、水分過多になると、嫌気性発酵となり、攪拌に大きな負荷と好気性発酵の限界と、悪臭の発生となり、まだ十分に発酵の余地があるのに、オカクズの交換をしなければならない。
【課題を解決するための手段】
【０００４】  この問題を解決するためには、発酵部分が片寄らないで、好気性発酵が続くような攪拌が必要、そのために攪拌機の羽根をシャフトの中心部と羽根の外側の部分に間を開けて、反対方向のスクリュー状に板を取りつけて発酵床が左右に移動するようにし、発酵槽の面積を十分活用する。
【０００５】  発酵が進むと、有機物が水分に分解され、蒸発できなかった水分と、余分な水分が下にたまる、それを水抜きパイプよりぬくと、発酵槽内が適度な水分となり順調な、好気性発酵が続く。  好気性発酵床になると、床に十分な空気が含まれ、攪拌にも負荷が少なくてすむ。又、水抜きパイプより出た液は、発酵床の水分補給や、液肥として使用できる。  好気性発酵が続くと、悪臭の発生が少なく、十分に発酵した物は、良質の肥料として利用できる。  取り出した肥料分と、発酵分解により減った分のオカクズなどを補充するだけで好気性発酵を続けることができる。
【発明の効果】
【０００６】  発酵槽の好気性発酵を順調にすると、臭いの発生も少なく、発酵槽を利用して、生ゴミの有機物も、分解処理でき好気性発酵によりできた。発酵物は、それを取り扱う人、作業をする人にとって不快感がない。
【発明を実施するための最良の形態】
【０００７】  図１は、人間用のトイレに発酵槽を設けた図面、その目的の人数や生ゴミの量、設置する場所の制限などで、大きさが限られるため処理能力を十分に活用する。【０００８】  図２は、発酵槽内の攪拌は、機械によりおこなう、攪拌機の一本シャフトに二重の羽根を逆方向にスクリュー状につけ、一方回転で床を前後に動かし、発酵床が均等に混じるようにする。【０００９】  図３は、発酵床は、水分過多なるとトラブルの発生や、問題が起こるので、余分な水分を、一時水抜きパイプから抜き、たえず好気性発酵を維持することが重要。
【産業上の利用可能性】
【００１０】  本発明により、水洗トイレのような給非水整備のない場所への設置ができる生ゴミの処理もできる。
【図面の簡単な説明】
【００１１】
【図１】、人間用のトイレに発酵槽を設けた図面
【図２】、発酵槽内の攪拌機のシャフトに羽根を二重に逆方向に取りつけた図面
【図３】、発酵槽の底に水抜きパイプと保温材を設けた図面
【符号の説明】
【００１２】  １、便器（投入口）  ２、排気口  ３、発酵槽  ４、攪拌機  ５、水抜きパイプ  ６、攪拌機  外側板  ７、攪拌機  中心板  ８、攪拌機  シャフト  ９、発酵床  １０、発酵槽の保温材  １１、発酵槽のヒーター
【図１】
2006239377.tif 000003
【図２】
2006239377.tif 000004
【図３】
2006239377.tif 000005
(57)【要約】      （修正有）【課題】砂蒸し温泉の有効性は、一般の温泉に比べて数段に良いことが知られているが、その入浴方法は砂の中に体を埋める為に砂の重さで息苦しいなどの不快なものである。【解決手段】浴槽１の内部に大鋸屑ペレットと籾殻の混合したもの２を入れ、入浴する者はその中に体を埋め、浴槽の下部などから温泉水の蒸気などを蒸気吸入パイプ３で噴霧させて入浴するものである。噴霧する蒸気は温泉水の他、井戸水や海水、水道水等何でも代用出来るし、入浴剤などを溶かし込んだものでも良く、特に限定はしない。また蒸気を噴霧する方法も、予め別の蒸し器などで蒸した状態のものを使用しても良く、入浴した後でその上等から蒸気発生器などを用いて噴霧しても良い。【選択図】図１
2006239371.tif 000002
【特許請求の範囲】
【請求項１】
ペレット状の大鋸屑と籾殻を混合し、そこに温泉水等の蒸気を噴霧して入浴するものである。
【発明の詳細な説明】
【背景技術】  昨今、間伐材等などを大鋸屑状に粉砕し、高温高圧で小さな円柱状に固め燃料や猫などのペット用のトイレ砂として利用する大鋸屑ペレットが開発販売されている。一方、鹿児島県の指宿などで有名な砂蒸し温泉が一般の温泉に比べて数倍の入浴効果があるという報告がなされている。
【発明が解決しようとする課題】
わが国は世界有数の温泉大国で、昔から温泉の入浴効果には病気を治したり、心身共にリラックス出来たりと様々な有益な効果がある事が実証報告されている。鹿児島県の指宿などで有名な砂蒸し温泉は、一般の温泉の入浴方法と比較しても数倍の効果がある事も報告されている。しかしながら砂蒸し温泉は体を砂の中に埋められるので、その砂の重みが体にずっしりと加重される為に、息苦しい等の体に負担が掛かる欠点がある。特に女性や老人は重さに耐えかねたり、短時間で止めたりと砂蒸し温泉を満喫出来ないのが現状である。その重みを軽減しようと体に被せる砂の量を少なくすると、砂蒸しの効果も低下して無意味になってしまうのである。
【発明の効果】
本発明は、砂蒸し温泉の重いという欠点である、体を砂の中に埋める方法に着眼し、砂の代わりに大鋸屑ペレットと籾殻を混合したものを使用する事で重さを軽減するものである。この大鋸屑ペレットと籾殼の混合したものに温泉水等の蒸気を噴霧する事により、砂蒸し温泉と同様な効果が得られ、しかも質量が小さい為に体に負担が掛からずに快適に温泉浴が出来る。元来樹木には心身をリラックスさせる匂いがあり、特に檜などは檜風呂にも使われる程の良い匂いを発生させるので、通常の砂を使用した砂蒸し温泉より、快適な温泉浴になるのである。また大鋸屑だけだと水分を含んだ時に空気や蒸気の通りが悪くなったり、ベットリとした感触になってしまうが、籾殻を混合する事により、重さも軽減され同時に感触もさらっとした快適なものに改善される。噴霧する蒸気は温泉水の他に、海水や井戸水、水道水でも良く、また入浴剤などを溶かした水でも利用可能であり特に拘らない。
本発明の大鋸屑ペレットと籾殻浴温泉は、重さが軽く感触も良い為に、快適に砂蒸し温泉効果が得られるので、病気の回復や悩みの解消など心身共に様々な癒し効果が得られる。また簡単に一般家庭でも砂蒸し温泉と同様の効果を得られるので、家庭で使用する他、これを商売として自営する事も可能であり、特に都会などでは良いのである。また、人に限らず動物やペットの利用も可能である。
【発明を実施する最良の形態】
本発明の大鋸屑ペレットと籾殻浴温泉は、浴槽本体〔図１〕の〔符号〕１の内部に大鋸屑ペレットと籾殻の混合物〔図１〕の〔符号〕２を入れ、浴槽本体〔図１〕の〔符号〕１の下部に接続されている蒸気吸入パイプ〔図１〕の〔符号〕３から温泉水等の蒸気を吸入し、大鋸屑ペレットと籾殻の混合物〔図１〕の〔符号〕１全体に噴霧させるのである。入浴者は浴衣等を着用するか、もしくは裸で浴槽本体〔図１〕の〔符号〕１の中に横たわるなどして、半身もしくは首から下の全身を大鋸屑ペレットと籾殻の混合物〔図１〕の〔符号〕２で体を被う様な状態になる。大鋸屑ペレットと籾殻の混合物〔図１〕の〔符号〕２は、蒸し器などで予め温泉水などで蒸しておいても良い。また、浴槽下部からではなく、浴槽本体〔図１〕の〔符号〕１の上部開口部分から個別の蒸気発生器を用いて蒸気を当てても良いのであり、その方法は問わない。使用する蒸気も温泉水の他、井戸水や海水、水道水でも良く、入浴剤を溶かし込んでもよい。
【産業上の利用可能性】  本発明の大鋸屑ペレットと籾殻浴温泉は、一般家庭でも気軽に砂蒸し温泉の気分を味わう事が出来、またこれを商売として自営する事も可能である。とくに都会などの場合は、狭いスペースでも運営可能である為に効率が良く、また都会生活や仕事で蓄積したストレスや体の疲れを心身共に気軽に回復させ癒す事が出来るので、商売として自営する場合に適していると言える。そもそも砂蒸し温泉は一般の温泉に比べると温泉効果が非常に高く、砂蒸し温泉一回の入浴で、一般の温泉に数回入浴したのと同様の効果が得られるものであるが、砂蒸し温泉自体は特殊な温泉の為に一部の温泉場でしか入浴する事が出来ない。本発明により、簡単な設備で気軽にをしかも快適な状態で砂蒸し温泉に入浴する事が可能となり、一般の銭湯や温泉、レジャーランド、各種保養所、医療関係、老人介護関係、ペット関係などの産業上の利用可能性も十分にある。
【図面の簡単な説明】
【図１】「大鋸屑ペレットと籾殻浴温泉の全体図である。」
【符号の説明】
１  浴槽本体
２  大鋸屑ペレットと籾殻の混合物
３  蒸気吸入パイプ
【図１】
2006239371.tif 000003
(57)【要約】【課題】髪を１つに束ねた時のゴムを、ゴムを隠すように地毛を巻きつけたように見せるために、地毛に見える素材（人毛・化学繊維）を使ったヘアアクセサリーを提供する。【解決手段】簡単にゴムに巻きつけられるヘアアクセサリー骨組２に、地毛に見える素材（人毛・化学繊維）１を取り付けることによってお洒落に見え、また、素早く装着できるようにする。【選択図】  図１
2006239375.tif 000002
【特許請求の範囲】
【請求項１】
髪をまとめて結んだ時のゴムを隠すため、ゴムに巻きつけることの出来るヘアアクセサリーに、人毛・化学繊維を組み合わせて使ったこと。
【発明の詳細な説明】
【技術分野】
【０００１】本発明は、髪を束ねた時のゴムを隠すために、かつら等で使用される人毛・化学繊維などを簡単にゴムに巻きつくように装着できるようにして、お洒落に見えるようにしたものである。
【背景分野】
【０００２】従来は、地毛に見える素材（人毛・化学繊維）を使用してゴムを隠すヘアアクセサリーはなかった。そのため、地毛をゴムに巻きつけピンで留めるなどしていた。
【発明の開示】
【発明が解決しようとする課題】
【０００３】ゴムで１つに束ねただけだとお洒落に見えなかった。また地毛をゴムを隠すようにゴムに巻きつけピンで留めるという作業は手間かかるという難点があった。本発明は、この課題を解消するためになされたものである。
【課題を解決するための手段】
【０００４】ヘアアクセサリー骨組２に、地毛に見える素材（人毛・化学繊維）１を取り付けることによって、地毛に見えるようにした。また、ヘアアクセサリー骨組２は針金などの簡単に曲げられる素材を使い、髪を束ねた時のゴムに巻きつくようにし、フック３を設けることにより落ちづらくした。
【発明の効果】
【０００５】ゴムで１つに束ねただけでも本発明を使用することで、ゴムに地毛を巻きつけたようにお洒落に見える。しかも、すばやく装着が出来るので手間がかからない。
【実施例１】
【０００６】ヘアアクセサリー骨組２の外側は角丸四角形で、中には支え４を入れる。中心あたりの外側にフック３を取り付ける。ヘアアクセサリー骨組２に地毛に見える素材（人毛・化学繊維）１を取り付ける。
【図面の簡単な説明】
【０００７】
【図１】  本発明の正面図である。
【図２】  本発明の使用状態を示す断面図である。
【符号の説明】
【０００８】  １  地毛に見える素材（人毛・化学繊維）
２  ヘアアクセサリー骨組
３  フック
４  支え
【図１】
2006239375.tif 000003
【図２】
2006239375.tif 000004
(57)【要約】      （修正有）【課題】焼そば等の麺類の重さが、手動の振る操作のフライパンでは、大量にできなかった。【解決手段】  フライパンの、掻き回し操作を、モーターで自動回転掻き回すものである。図のように、モーターで回転する回転盤に、軸を設ける。軸と連結するフライパン及びフライパン取り付け枠が、モーター回転で、前後に動くことで、振る操作をする、炒めフライパンの装置。  本発明の装置を、複数設けることで、一度に何個もフライパンを掻き回し操作することが出来る。【選択図】  図１
2006239372.tif 000002
【特許請求の範囲】
【請求項１】
フライパン及びフライパン取り付け枠６が、モーター回転で、回転盤の軸と連結して、前後に動くようにする、炒めフライパンの装置。
【発明の詳細な説明】
【技術分野】
【０００１】  本発明は、炒め物を造る時に中の材料を掻き回すフライパンの装置である。
【背景技術】
【０００２】  従来、各職種において、掻き回す道具は数多くあったが、フライパンは、油汚れ、高温と悪条件が重なり、常に手入れの必要なもので、掻き回す装置があると、却って邪魔になることがあった。そのため改良されず現在も手で振る操作で炒め物をしていた。
【発明の開示】
【発明が解決しようとする課題】
【０００３】  この掻き回し操作をモーターで自動回転掻き回すものである。
【課題を解決するための手段】
【０００４】  フライパンの柄の部分に、モーター１を取り付ける。モーターの回転盤２に、軸３を設ける。モーターカバーと固定した棒４に、凹部５の円形状のレールを側面に二本、設ける。フライパン及び、取り付け枠６に、レール上に動く凸部７を設け回転盤２を回転することで、軸３に連結するフライパン及びフライパン取り付け枠６が、前後にフライパンを振る操作をするものである。
【発明の効果】
【０００５】  本発明により、今まで手で振る操作のフライパンを、モーター回転で、自動的に掻き回すことが出来るので便利である。
【発明を実施するための最良の形態】
【０００６】  本発明の回転掻き回しフライパンは、図１のモーター直結式のフライパンと、フライパン取り付枠６の方法からなる。共にモーター１で、回転盤２を回転させ軸３に連結してフライパン及びフライパン取り付け枠が、前後に、動くようにするものである。【０００７】  凹部５のレールは、向側を円形状にして、フライパンの材料を回転掻き回す。図１のモーター直結式の場合は、フライパンの柄の下部に、折り畳み式のスタンドを設ける。図４のフライパン取り付け式は、ガスレンジに固定する。
【産業上の利用可能性】
【０００８】  今まで手で振る操作のフライパン手動操作を、見て居なくても、モーター回転で大量に一つ一つ自動的に掻き回すので容易である。
【図面の簡単な説明】
【０００９】
【図１】  モーター直結式の立体図である。一部断面図である。
【図２】  図１の側面図である。一部断面図である。
【図３】  図１の上面図である。
【図４】  フライパン取り付け枠のある方法の立体図である。一部断面図である。
【図５】  図４の側面図である。一部断面図である。
【図６】
【００１０】  図４の上面図である。
【符号の説明】
【００１１】  １フライパンの柄の部分に、設けた、モーター
２モーター回転で、回転する回転盤
３回転盤に取り付けた軸
４モーターカバーと固定した棒
５棒に取り付けたレール
６フライパンを、取り付ける枠
７フライパンに固定した凸部
【図１】
2006239372.tif 000003
【図２】
2006239372.tif 000004
【図３】
2006239372.tif 000005
【図４】
2006239372.tif 000006
【図５】
2006239372.tif 000007
【図６】
2006239372.tif 000008
(57)【要約】【課題】  従来は、コーヒー等の飲料に用いるスプーンを使った後、スプーンをソーサーの上に置けばソーサーの縁が曲形のため、スプーンが滑り、コーヒーカップをソーサーの上に置くときスプーンが邪魔になった、ソーサーの隣に置けば不潔だった、また、箸置きは食事の途中で箸を置くと、箸置きが動きその都度直して箸を置いた。【解決手段】  スプーン及び箸置きは、スプーン及び箸置き兼用で、簡単に取り外しができる滑り止め吸盤でできてある、吸盤の真上は傾斜になっておりスプーン及び箸は固定する。また、取り外しが簡単な装飾を吸盤上に付け、吸盤の縁に滑り止めスプーン及び箸置き支えを設けた、これによりスプーン及び箸置きがより固定し、見た目が良く、清潔である。【選択図】図１
2006239348.tif 000002
【特許請求の範囲】
【請求項１】
コーヒーカップ等の皿ソーサー上に、取り外し可能なスプーンの固定装置、また、箸置きを特徴とするスプーン止め及び箸置き。
【請求項２】
前記スプーン止め及び箸置きは、滑り止め付き吸盤で上部に装飾を設けスプーン及び箸を固定し特徴とするスプーン及び箸置き。
【発明の詳細な説明】
【技術分野】
【０００１】  本発明は、コーヒー等の飲食に用いるスプーン止め及び箸置きに関する。
【背景技術】
【０００２】  従来のコーヒー等の飲料に用いるスプーンは図１０、図１１に示すように、コーヒーカップの盆皿のソーサーの上かソーサーの横に置いた、また、箸は箸置きの上に置いた。
【発明の開示】
【発明が解決しようとする課題】
【０００３】  以上に述べた従来のコーヒー等に用いるスプーンの置き方では、ソーサーの縁が曲形しているため、ソーサー上でスプーンが滑り、コーヒーカップを置くのにスプーンが邪魔になった、又ソーサーの横に置けば不潔だった、箸置きは食事の途中で箸を置くとき、箸置きが動いてしまい、その都度直していた。【０００４】  本発明は、このような従来のスプーンがソーサー上で滑り邪魔になるのを防止するため、また、箸置きが動かないように固定し、スプーン止め及び箸置きを解決し提供する課題とする。
【課題を解決するための手段】
【０００５】  以上の課題を解決するために、第一発明は、取り外しが簡単な吸盤に図１−６吸盤滑り止めを設け、スプーン及び箸を固定できる装置、スプーン止め及び箸置きである。【０００６】  第二発明によれば、吸盤の縁上に、図１−２スプーン及び箸置き支えを設けたスプーン止め及び箸置きである。【０００７】  第三発明は、図２−３吸盤の真上は、傾斜しているため、スプーンが固定し、また図３−Ｃに示すように飾りが簡単に取付け可能な穴が空いているスプーン及び箸置きである。
【発明の効果】
【０００８】  第一発明、第二発明、第三発明によれば、ソーサー上でスプーンが滑らず、また、箸も固定でき、吸盤に付けた装飾は見た目が良く、清潔である、スプーン及び箸置きである。【０００９】  また、装飾は取り外しが簡単な図６−８に示すように飾り留めゴムを設けたものと、図７−５のように吸盤の真上に設置したものがある。
【発明の実施するための最良の形態】
【００１０】  以下、本発明の実施の形態を図１〜図７に基づいて説明する。
【００１１】  図１−１本体吸盤の上、図１−６は滑り止めシリコーンゴムであるため吸盤の固定及び、スプーン、箸の落下防止を発揮する。
【００１２】  図１−２または、図４−２のスプーン及び箸置き支えは塩化ビニール樹脂でできてありスプーン及び箸を固定する。
【００１３】  図２−３吸盤真上は傾斜なのでスプーンを固定する。
【００１４】  吸盤真上の図３−Ｃは飾り取付け穴で、装飾を取り外しできる。
【００１５】  図６の装飾は、７の飾りゴム保持に、８の飾り留めゴムを付けてあるので簡単に吸盤真上に装飾できる。
【００１６】  図７−５は吸盤の真上に装飾を設けたもので、スプーン及び箸を固定できる。
【実施形態の効果】
この実施形態によれば、コーヒー、紅茶等を飲んだ後の図８−Ａのスプーンは滑らず固定し、箸も図９−Ｂのように固定し、見た目も良く、清潔である。
【図面の簡単な説明】
【００１７】
【図１】本発明の実施形態を示すスプーン及び箸置きの斜視図
【図２】吸盤の斜視図
【図３】図１−３吸盤の真上の飾り取付け穴斜視図
【図４】図１−２、図４−２は、スプーン及び箸置き支えを示す斜視図
【図５】図１−４吸盤の取外し斜視図
【図６】図１−５の装飾取り外し可能な装飾の斜視図
【図７】吸盤の真上に５装飾を設置した図
【図８】図１のスプーンの使用状態を示す図
【図９】図１の箸置きの使用状態を示す図
【図１０】従来のスプーンをソーサーの上に置いた図
【図１１】従来のスプーンをソーサーの横に置いた図
【符号の説明】
【００１８】  １吸盤
２スプーン及び箸置き支え
３吸盤の真上
４吸盤外し
５装飾
６吸盤滑り止め
７飾りゴム保持
８飾り留めゴム
Ａスプーン
Ｂ箸
Ｃ飾り取付け穴
【図１】
2006239348.tif 000003
【図２】
2006239348.tif 000004
【図３】
2006239348.tif 000005
【図４】
2006239348.tif 000006
【図５】
2006239348.tif 000007
【図６】
2006239348.tif 000008
【図７】
2006239348.tif 000009
【図８】
2006239348.tif 000010
【図９】
2006239348.tif 000011
【図１０】
2006239348.tif 000012
【図１１】
2006239348.tif 000013
(57)【要約】【課題】杖を使用しないときに簡単に杖を机や椅子などの支柱に立て掛けて収納し、杖を必要とするときには簡単に取り出すことができなかった。また、杖が転倒することがあった。杖が倒れないように固定できる便利な固定具を付けた杖はさみ器具を提供する。【解決手段】はさみ器具（１）の一方に杖を固定する固定具（２）を設け、ブラシ（３）で杖を固定し杖の転倒を防止する。はさみ器具（１）には、滑り止めゴム（４）がついており、机や椅子などの支柱に取り付けられる。【選択図】  図１
2006239347.tif 000002
【特許請求の範囲】
【請求項１】
はさみ器具の一方に杖の固定具を設け、机や椅子の足などの支柱に、簡単に杖が立てられるはさみ器具。
【請求項２】
杖を固定する支持部にブラシが付いており、簡単に杖が固定できて、杖の取り外しも簡単にできる杖の固定器具。
【請求項３】
はさみ器具には滑り止めゴムが付いており、支柱からずり落ちない。
【発明の詳細な説明】
【技術分野】
【０００１】この発明は、はさみ器具の一方に杖を固定する固定具を設け、机や椅子などの支柱に簡単に取り付けられる杖立てに関するものである。
【背景技術】
【０００２】従来、支柱に簡単に取り付けられる杖立てがなかった。
【発明の開示】
【発明が解決しようとする課題】
【０００３】これはつぎのような問題点があった。杖を使用しないときに簡単に杖を立て掛けて、簡単に取り出すことができず、不便な場合が多かった。
また、杖が転倒することがあった。本発明は、以上のような欠点をなくすためになされたものである。
【課題を解決するための手段】
【０００４】机や椅子などの支柱に杖立てをはさみ、杖の支持部にはブラシを利用した固定具を付ける。以上の構成よりなる固定具を付けた杖立てである。
【発明の効果】
【０００５】机や椅子などの支柱に簡単に取り付けて、杖が立てられ転倒しない。また、杖を必要とする場合、ブラシの固定具から簡単に取り出せるので差し支えない。
【発明を実施するための最良の形態】
【０００６】はさみ器具の一方にブラシ状の杖の固定具を付ける。はさみ器具に滑り止めゴムを付け、支柱から滑り落ちないようにする。
【実施例】
【０００７】机や椅子などの支柱にはさみ器具（１）を取り付ける。杖の固定具（２）に杖を入れて、ブラシ（３）で固定する。はさみ器具には滑り止めゴム（４）が付いており、支柱から滑り落ちない。
【産業上の利用可能性】
【０００８】本発明は、以上のような構造で杖を使用しないときに簡単に机や椅子に杖を立てることができるために、高齢者の集まる場所や杖を保持している世帯での利用可能性がある。
【図面の簡単な説明】
【０００９】
【図１】本発明を示した平面図である。
【図２】本発明を示した断面図である。
【符号の説明】
【００１０】  １  はさみ器具
２  支持部分
３  ブラシ
４  滑り止めゴム
５  バネ
【図１】
2006239347.tif 000003
【図２】
2006239347.tif 000004
(57)【要約】【課題】  障害（児）者に、触覚刺激、光刺激を入力するとき、当人の要求や興奮度に応じて刺激量を調整でき、刺激の流れを一方向に保つことが可能な、刺激入力器を提供する。【解決手段】  手回し回転ドラム（１）に、触覚刺激素材（２）、または光を反射する素材（３）をまきつけたことを特徴とする。【選択図】  図１
2006239344.tif 000002
【特許請求の範囲】
【請求項１】
手回し回転ドラム（１）に、触覚刺激素材（２）、または光を反射する素材（３）をまきつけた障害（児）者のための刺激入力器
【発明の詳細な説明】
【技術分野】
【０００１】  この発明は、手回し回転ドラム（１）に、触覚刺激素材（２）、または、光を反射する素材（３）をまきつけた障害（児）者のための刺激入力器に関するものである。
【背景技術】
【０００２】  従来、障害（児）者への触覚刺激・光刺激入力は、日用品のブラシや鏡等に頼っていた。
【発明の開示】
【発明が解決しようとする課題】
【０００３】  これには、次のような欠点があった。
刺激入力は、本人が行うには障害を有す故に困難なことが多く、よって他者が行うことになるが、これは刺激量の調整と刺激の流れを一方向に保つことが困難で、本人の拒否反応を招きやすかった。本発明は、以上のような欠点をなくすためになされたものである。
【課題を解決するための手段】
【０００４】  手回し回転ドラム（１）に、触覚刺激素材（２）、または光を反射する素材（３）をまきつける。本発明は、以上の構成よりなる障害児（児）者のための刺激入力器である。
【発明の効果】
【０００５】  刺激素材は、他者の手回しによって回転するので、それに触れたり、見たりする障害（児）者の要求や興奮度に応じて回転数を変化させ、刺激量を調整することが可能である。
同時に、刺激の流れを一方向に保つことが可能で、本人の拒否反応を招きにくい。
【発明を実施するための最良の形態】
【０００６】  以下、本発明を実施するための最良の形態について説明する。
手回し回転ドラム（１）に、触覚刺激素材（２）、または、光を反射する素材（３）をまきつける。本発明は、以上のような構造でこれを使用するときは、
触覚刺激を入力するときには、障害（児）者の手を、回転ドラムの上に導き、
光刺激を入力するときには、日光などの光源を確保し、当人の視界の中に反射させ、
両刺激ともに、当人の要求や興奮度に応じて、ドラムの回転数を調整すればよい。
【図面の簡単な説明】
【０００７】
【図１】  本発明の分解斜視図である。
【符号の説明】
【０００８】  １  手回し回転ドラム
２  触覚刺激素材
３  光を反射する素材
【図１】
2006239344.tif 000003
(57)【要約】      （修正有）【課題】車椅子上で障害者や高齢者が自走ができ、簡単に設置および取り外しができ、又アームレストの一部が低くなっていたり、無い車椅子にも設置できるテーブルの提供。【解決手段】板状の脚を天板３の下面に蝶番２６で取り付け、さらにステーを取り付け、使用時は板状の脚と天板３は直角の状態でステーが一直線になってこれを保つ。また前倒れ防止装置１１は車椅子のフレームを掴まえながら、可能な限り後方の位置に設置し、さらには軽量にする。【選択図】図１
2006239345.tif 000002
【特許請求の範囲】
【請求項１】
脚（８）と前倒れ防止装置（１１）を持った車椅子用テーブル。
【発明の詳細な説明】
【技術分野】
【０００１】  本発明は、車椅子上で使用するテーブルに関する。
【背景技術】
【０００２】  従来のこの種の車椅子上で使用するテーブルには、１）使用者の膝の上に乗せるモノ、２）アームレストの上に乗せるモノ、３）天板の一端に丸棒を固着し、これを揺動自在に支持するモノが有る。
【発明の開示】
【発明が解決しようとする課題】
【０００３】  膝の上に乗せるタイプでは、膝に直接乗せるため膝に負担をかけ、不安定である。【０００４】  アームレスト上に設置するタイプでは使用者が自分で設置、取り外しができない。即ち、拘束の状態になる。漕ぐ時に邪魔になる。【０００５】  揺動自在のタイプは取り付け工事が必要であり、乗降時に邪魔になる。【０００６】  通常テーブルに着座できるようにアームレストの前部が低くなっている車椅子には取り付かない。
【課題を解決するための手段】
【０００７】  上記目的を達成するために、本発明の車椅子用テーブルにおいては脚（８）と前倒れ防止装置（１１）を設けている。
【発明の効果】
【０００８】  脚（８）の下端は車椅子の座面に乗り、前倒れ防止装置（１１）はアームレストの下側のパイプ（１０）の下側にセットするので、天板（３）に加わる荷重Ｗが座面の有る位置の場合は座面が支え、座面からはずれた場合は前倒れ防止装置（１１）と座面の前端部（９）が支える。従って膝に負担がかからず、使用者が自分で設置、取り外しができ、アームレストの前部が低くなっている車椅子にも取り付く。
【発明を実施するための最良の形態】
【０００９】  板状の脚（８）を天板（３）の下面に取り付け、前倒れ防止装置（１１）は車椅子のフレームを掴まえながら、可能な限り後方の位置に設置し、さらには軽量にすることが発明を実施するための最良の形態である。
【実施例】
【００１０】    実施例１について図面を参照して説明すると、板状の脚（８）を天板（３）の下面に蝶番（２６）で揺動自在に取り付け、さらにステー（２７）を取り付け、使用時は図２の如く、板状の脚（８）と天板（３）は直角の状態でステー（２７）が一直線になってこれを保っている、収納時はステー（２７）を折って板状の脚（８）を倒す。また前倒れ防止装置（１１）はバネ付蝶番の一方の板（１５）が、通常はバネの力によりアームレストの下側のパイプ（１０）の下側に有るが、紐（１４）を引くとアームレストの下側のパイプ（１０）の下側から外れて、当該車椅子用テーブルを車椅子からはずせる。【００１１】    実施例２について図面を参照して説明すると、図７において前倒れ防止金具（１６）はアームレストの下側のパイプ（１９）の下側に有るが、天板（２６）の中央を上に持ち上げると、蝶番（１７）と蝶番（１８）の作用により、図８の如くになり、前倒れ防止金具（１６）はアームレストの下側のパイプ（１９）の下側からはずれて、当該車椅子用テーブルを車椅子からはずせる。【００１２】    実施例３について図面を参照して説明すると、図１１において車椅子は下肢の感覚の無い障害者用で、テーブルの脚を座面に乗せることができず、アームレストも無い。それ故、キャッチクリップ（２４）でパイプ（２５）を掴み、前倒れ防止金具とした。さらに、前部荷重受け（２２）と共にテーブルに加わる荷重を支えている。
【図面の簡単な説明】
【図１】  車椅子上で使用状態の実施例１のテーブルの側面図である。
【図２】  テーブルのＡ矢視図である。
【図３】  図１のＢ部の拡大図である。
【図４】  図３のＣ−Ｃ矢視図である。
【図５】  図４のバネ付蝶番（１２）が閉じた状態の説明図である。
【図６】  実施例２のテーブルの上面図である。
【図７】  実施例２のテーブルの正面図である。
【図８】  実施例２のテーブルの取り付け（または取り外し）途中の説明図である。
【図９】  実施例３のテーブルの上面図である。
【図１０】  実施例３のテーブルの正面図である。
【図１１】  実施例３のテーブルの側面図である。
【符号の説明】
１  車椅子使用者
２  車椅子
３  テーブル
４  欠
５  バネ付蝶番開閉用紐
６  紐用ガイド
７  クッション
８  脚
９  座面前端
１０  アームレスト下のパイプ
１１  前倒れ防止装置
１２  バネ付蝶番
１３  滑りガイド
１４  バネ付蝶番開閉用紐
１５  パイプ受け
１６  前倒れ防止金具
１７  蝶番
１８  蝶番
１９  アームレスト下のパイプ
２０  脚
２１  蝶番
２２  前部荷重受け
２３  脚
２４  キャッチクリップ
２５  車椅子のパイプ
２６  蝶番
２７  ステー
２８  ステー
【図１】
2006239345.tif 000003
【図２】
2006239345.tif 000004
【図３】
2006239345.tif 000005
【図４】
2006239345.tif 000006
【図５】
2006239345.tif 000007
【図６】
2006239345.tif 000008
【図７】
2006239345.tif 000009
【図８】
2006239345.tif 000010
【図９】
2006239345.tif 000011
【図１０】
2006239345.tif 000012
【図１１】
2006239345.tif 000013
(57)【要約】【課題】  疲れたときなど、目の縁に出る隈や、目の腫れ、涙目などの症状の改善器具に、ローラーマッサージャーを提供する。【解決手段】  症状の原因に、目の周りに集中する、毛細血管の血流機能低下が原因とされており、従来指のマッサージなどに頼っていた手作業を、ローラー回転によって、目の周囲に刺激を与え、血流を正常なものにすることを目的とした器具、ローラーマッサージャー。【選択図】  図１
2006239349.tif 000002
【特許請求の範囲】
【請求項１】
ローラーの回転棒を設け、回転棒にソフトな素材を巻き付け、その上から縦線とした凹凸状のやや堅めのラバーを巻き付け、回転棒に硬軟の素材で組み合せ二重巻きとし表面を凹凸状にしたことを特徴とした、目の縁改善用のローラーマッサージャー。
【発明の詳細な説明】
【技術分野】
【０００１】  本発明は、ローラーの回転棒に、ソフトな素材（スポンジ）を巻き、さらに、その上に肌に接する表面を縦線とした凹凸状のもので、下巻きより、やや堅めの（ラバー）を巻き付け、硬軟の素材を二重に組み合せたものであり、また、目の縁専用であるため、きわめて極小な器具としてのローラーマッサージャーに関するものである。
【背景技術】
【０００２】  従来、目の腫れや、涙目などに対する改善のための器具として特になかった。
そのため指先など手作業による、マッサージは良く行なわれていた。
また、目薬ではこれらの問題解決には至らなかった。
【発明の開示】
【発明が解決しようとする課題】
【０００３】  そのために、次のような問題点があった。
人は良く疲れた時など、目の周りが黒ずんだり、腫れあがったり、また、涙線が緩んで涙目になるなどの症状に対する、具体的且つ効果的なものは無かった。
本発明は以上の問題点を解決しようとするものである。
【課題を解決するための手段】
【０００４】  ローラーの回転棒を設け、回転棒にソフトな素材を巻き付け、その上から縦線とした凹凸状のやや堅めのラバーを巻き付け、回転棒に硬軟の素材で組み合せ二重巻きとし表面を凹凸状にした。
本発明は、以上の構成よりなる、目の縁改善用のローラーマッサージャー。
【発明の効果】
【０００５】  本発明は、目の腫れ、涙目の原因が目の周りの毛細管の血流機能の低下が、原因とされており、その流れを正常なものに促すための、マッサージであり、そのための根気と持続力が求められているが、手作業では大変であり限りがあった。
その点で、ローラーマッサージャーは、手もみの数倍のものを簡単で楽しいものに変り持続が出てくる。
【発明を実施する為の最良の形態】
【０００６】  以下、本発明の実施の形態について説明する。
シャフト（４）に回転棒（１）を取り付け、ソフト素材（スポンジ）（２）を巻き付け、さらに、その上に肌に接する表面に縦線とした凹凸状のものを、下巻きよりやや堅めのラバー（３）を巻き加え、硬軟の素材によって二重巻き付けとしたものである。
本発は以上の構成によりなっている。
本発明を使用するときは、ハンドル（５）を持ち縦線の入った凹凸部分を局部に当て左右に動かし、ローラーをかけ毛細血管に刺激を与え、血流機能を蘇がえらせることで正常な効果が生れる。
【図面の簡単な説明】
【０００７】
【図１】  本発明の斜視図である。
【図２】  本発明の要部の断面図である。
【符号の説明】
【０００８】１  回転棒
２  ソフトな素材（スポンジ）
３  凹凸状の縦線（ラバー）
４  シャフト
５  ハンドル
【図１】
2006239349.tif 000003
【図２】
2006239349.tif 000004
(57)【要約】【課題】車の運転中における肩、背中、腰の疲れを緩和し、休憩中にシートを倒して横になった時の首の疲れを取る、調節自由なマット兼首枕を提供する。【解決手段】長方形の布（１）の、短い辺側に指圧球大（２）を内側に小（３）を二列に並べて付け、（１）と同型の布（４）をかぶせて縫いつけ、短い辺の一方に紐（５）もう一方にゴム（６）を付ける事を特徴とする。【選択図】  図  １
2006239346.tif 000002
【特許請求の範囲】
【請求項１】
長方形の布に、弾力性のある素材で作った大きさの異なる半球体を二列に取り付け、短い辺側の一方に紐をもう一方にゴムを付けた、車の背もたれ用マット兼首枕。
【発明の詳細な説明】
【技術分野】
【０００１】この発明は、長方形の布に弾力性のある素材で作った大きさの異なる半球体の指圧球を二列に取り付け、短い辺の一方に紐をもう一方にゴムを付けて、巻くと首枕になる調節自由な車のマット兼首枕に関するものである。
【背景技術】
【０００２】従来、車用の首用枕も指圧球が付いたマットもあった。
【発明の開示】
【発明が解決しょうとする課題】
【０００３】これには次のような欠点があった。
（イ）首用枕は、シートに置いておかなければいけないので場所をとった。又空気枕はそのつど空気を入れなければならず、入れたままであればやはり場所をとる。
（ロ）マットは、指圧球の大きさが体の自然な曲線に合わないうえにシートに置いて使ったりカバーのように固定して使ったりで、思った場所に指圧球があたりくかった。
本発明は、以上のような状態をなくすためになされたものである。
【課題を解決するための手段】
【０００４】（１）長方形の布（１）に、指圧球（２）（３）を二列に並べてつける。
（２）指圧球（２）（３）は、（２）を紐（５）ゴム（６）側に（３）をその内側に並べる。
（３）（１）と同型の布（４）を（１）にかぶせ縫い合わせる。
（４）長方形の短い辺の一方に紐（５）を、もう一方にゴム（６）をつける。
以上の構成よりなるマット兼用首枕である。
【発明の効果】
【０００５】発明は以上のような構造で、車の運転をするときシートにもたれると背中の中央が強く当り腰と肩甲骨のあたりは軽く当る、そこでマットの紐（５）ゴム（６）側に指圧球大（２）を小（３）を内側に配置すると効率よく指圧できる。マットの取り付けはゴム（６）はシートの下に、（５）は上でシートと枕の間にくくりつけるが、この時（５）の長さを調節すると指圧球が好きな場所にくるようにできる。
首枕として使用するときは、ゴムは付けたまま巻けるので下からくるくるとシートの枕のしたまで巻く、するとシートをたおした時マットが首枕となり首が疲れない。
マットを巻く時、普通は布（４）を内側に布（１）を外側にして巻いて使用するが、布（１）を内側に布（４）を外側に巻いて使用すると指圧球が首にあたり凝りを緩和する。
【発明を実施するための最良の形態】
【０００６】以下、本発明の実施の形態について説明する。
（イ）長方形の厚手の布（１）の長い辺にそって、弾力性のある素材でつくった半球体の指圧球大（２）と小（３）を二列に並べて付ける。
（ロ）（２）は短い辺側とし（３）は（２）の内側とする。
（ロ）（１）と同型の薄手の布（４）を布（１）にかぶせ縫い合わせる、指圧球の間も縫う。
（ハ）短い辺の一方に紐（５）をもう一方にゴム（６）を付ける。
本発明は、以上のような構造でこれをマットとして使用するときは、紐（５）を上にゴム（６）を下に背もたれに取り付ける。首枕として使用するときは、マット状態の時シートの枕の下までくるくる巻き上げる。
【図面の簡単な説明】
【０００７】
【図１】本発明の一部はがした斜視図である
【図２】本発明のマット使用時の斜視図である
【図３】本発明の首枕使用時の斜視図である
【符号の説明】
【０００８】  １  長方形の厚手の布
２  指圧球大
３  指圧球小
４  長方形の薄手の布
５  紐
６  ゴム
【図１】
2006239346.tif 000003
【図２】
2006239346.tif 000004
【図３】
2006239346.tif 000005
(57)【要約】      （修正有）【課題】  従来の１枚２枚の吊り下げ式カーテンにおいて、その端が同一の材料であるため見難いことから、この端が簡単に判別できるカーテンを提供する。【解決手段】  カーテンの端が視覚、または触覚で容易に識別できるように色、または模様、あるいは材料などを変え、さらに別の引き手など付加することを特徴としたカーテンである。【選択図】図１
2006239357.tif 000002
【特許請求の範囲】
【請求項１】
住宅及び工場等の建物内に設置される吊り下げ式カーテン布において、その左右両端を明示する手段を付加する事を特徴とする。
【発明の詳細な説明】
【技術分野】
【０００１】  本発明は吊り下げ式カーテン布の左右両端の明示方法に関する。
【背景技術】
【０００２】  従来のカーテン布には左右両端を容易に認識できる手段はない。
【発明の開示】
【発明が解決しようとする課題】
【０００３】  従来殆どの吊り下げ式カーテンでは、カーテンを閉じた時、通常合わせ部分が重なる事になる。その左右両端もカーテン布と同じ材料で、染色、模様なども同じであることから両端を容易に見つけることが難しく、そのためカーテンの一部を引っ張って移動させていた。カーテンを開いて窓などの両端に収束した場合も同様である。そこで本発明は吊り下げ式カーテンの左右両端を容易に視覚、および触覚で認識出来ることを課題とする。
【課題を解決するための手段】
【０００４】  上記課題を解決するために請求項記載のカーテンで、左右２枚合わせのカーテンの場合、右カーテンの左、左カーテンの右の合わせ側の端の全長、および一部分に、カーテン布と異なる色、材料、柄模様を付けることで視覚により容易に識別できる手段を付加した。【０００５】  また、端側に厚さのある部分を設けることで触覚でも認識できる。また、この端にカーテンとは別の布、木、プラスチック製などの引き手を設ける事もできる。２枚カーテンの合わせ側左右の色、材料、柄模様を変えることで、より簡便にすることができる。【０００６】  上記は左右２枚合わせカーテンの合わせ側端の識別方法であるが、他端についても同様の手段を設けてもかまわない。さらに、１枚カーテンでも左右いずれかに収束されるが、この場合でもその端を容易に見つけることができる。左右端の識別手段を変えることでより簡便になる。
【発明の効果】
【０００７】  本発明は次のような効果を奏する。
請求項に記載されている発明はカーテンの開閉時にその端側が視覚、および触覚によって容易に識別できることから、より簡便なカーテンの開閉ができる。
【発明を実施するための裁量形態】
【０００８】  この発明の実施例について説明する。
【図１】
は左右２枚合わせのカーテンを完全に閉じていない状態の正面図で、カーテンレール１にフックにより吊り下げられたカーテン布２の左右合わせ部の端３に識別のためカーテン布とは異なる色、または模様、あるいは材料などを配置した実施例である。この場合、左と右カーテンの識別方法を変えてもよい。また、
【図２】
に示すごとく、カーテン布の端３の上端から下端までこの識別部分を設けても、あるいは一部分４だけに設けてもかまわない。
【０００９】
【図３】
はカーテン布２の左右合わせ部の端３の他端５に、合わせ部の端と異なる色、または模様、あるいは材料などを配置した実施例である。これらの識別のための色、または模様、あるいは材料などではなく、触感で認識できるようにカーテン布の厚さ、また太さのある部分を設けてもかまわない。
【図４】
は識別のための色、または模様、あるいは材料ではなく、引き手６を取り付けた実施例で、この引き手は吊り下げ式の布、金属、プラスチックなどを用いても良い。
【図５】
は一枚式のカーテン６の実施例である。この場合一枚カーテンの左右の端７に
【図１】
から
【図４】
に示す同様な識別方法を付加することができる
【図面の簡単な説明】
【００１０】
【図１】左右２枚合わせカーテンの合わせ部を示す正面図である。
【図２】左右２枚合わせカーテンの合わせ部を示す正面図である。
【図３】左右２枚合わせカーテンの合わせ部と反対側の端も含めた正面図である。
【図４】左右２枚合わせカーテンの合わせ部に引き手を設けた正面図である。
【図５】１枚カーテンの正面図である。
【符号の説明】
【００１１】１  カーテンを吊り下げるカーテンレール
２  カーテン布
３  左右カーテンの合わせ部端の識別部
４  左右カーテンの合わせ部端の識別部
５  左右カーテンの合わせ部と反対側の端
６  左右カーテン合わせ部に取り付けた引き手
７  １枚式カーテン
８  １枚式カーテンの両端
【図１】
2006239357.tif 000003
【図２】
2006239357.tif 000004
【図３】
2006239357.tif 000005
【図４】
2006239357.tif 000006
【図５】
2006239357.tif 000007